(57)【要約】【課題】スプリングやバネの付勢力を用いることなく、把持力が衰えずに操作性に優れ、かつ大量生産が可能で、製造コストの低減を図ることができるクリップを提供することにある。【解決手段】    可撓性を有する合成樹脂材料によって形成され、その中央部近傍をヒンジ部によって所定間隔に開閉可能に保持された一対のクリップ本体と、クリップ本体の一端に把持部を設け、他端にはつまみ部を設け、クリップ本体と一体に成型されクリップの内外方向に屈曲する押圧部を設けた構造である。また、上記押圧部が、クリップ本体と連結される両端と中央部にインテグラルヒンジを設けて連結され、その中央部に所定の角度を保持できる支持面を設けた構造である。【選択図】図１
2008100026.tif 000002
【特許請求の範囲】
【請求項１】
可撓性を有する合成樹脂材料によって形成され、その中央部近傍をヒンジ部によって所定間隔に開閉可能に保持された一対のクリップ本体と、クリップ本体の一端に把持部を設け、他端にはつまみ部を設け、クリップ本体と一体に成型されクリップの内外方向に屈曲する押圧部を設けたことを特徴とするクリップ。
【請求項２】
上記押圧部が、クリップ本体と連結される両端と中央部にインテグラルヒンジを設けて連結され、その中央部に所定の角度を保持できる支持面を設けたことを特長とする請求項１に記載のクリップ。
【発明の詳細な説明】
【技術分野】
【０００１】  この発明はクリップ、特に衣類の洗濯物や紙類等を把持するクリップに関する。
【背景技術】
【０００２】  衣類の洗濯物や紙類等を把持するためのクリップには種々の構造のものが市販されているが、従来の上記クリップについて洗濯バサミを例に説明する。【０００３】  従来の洗濯バサミは樹脂製の本体１００の中央部に支持部１０４を設け、本体の先端を把持部１０８とし、他端をつまみ部１０２とし、本体１００を両側の円筒状の金属製スプリング１０６で付勢する構造が一般的に知られている。これを使用する場合にはスプリングの付勢方向（図中Ｂ方向）に力を必要とする。【０００４】  また、つまみ部、爪、支点、バネ等で構成されているクリップであって、アームや支点バネが樹脂等で一体として成型された物干しクリップが開示されている。【０００５】この種のクリップに関する技術が特許文献１に開示されている。
【特許文献１】特開平１１−１６９５９６
【発明の開示】
【発明が解決しようとする課題】
【０００６】  ところで、前述のように構成されたクリップは、いずれも把持部１０８を開くためにつまみ部１０２のストロークが長く（図中Ｌ）、力の弱い高齢者や子供には使いづらいという課題があった。また、スプリングが樹脂製の場合には長期間使用しているとスプリングが劣化し、洗濯物がクリップから脱落しやすくなり、劣化を防止するためあらかじめスプリングや支持バネの付勢力を高めると、さらに開きづらく使いにくくなるという課題があった。【０００７】  この発明は、前記事情に着目してなされたもので、その目的とするところは、スプリングやバネの付勢力を用いることなく、把持力が衰えずに操作性に優れたクリップを提供することにある。
【課題を解決するための手段】
【０００８】  この発明は前記目的を達成するために、可撓性を有する合成樹脂材料によって形成され、その中央部近傍をヒンジ部によって所定間隔に開閉可能に保持された一対のクリップ本体と、クリップ本体の一端に把持部を設け、他端にはつまみ部を設け、クリップ本体と一体に成型されクリップの内外方向に屈曲する押圧部を設けた構成とする。また、上記押圧部が、クリップ本体と連結される両端と中央部にインテグラルヒンジを設けて連結され、その中央部に所定の角度を保持できる支持面を設けた構成とする。【０００９】  ここで、重要なことは、前記クリップ本体、ヒンジ部、押圧部、把持部は可撓性を有する合成樹脂材料によって一体成形された１部品で構成されており、この状態で把持部は所定の寸法を開けて離間していることである。【００１０】  把持部はあらかじめ離間しているから、この開いた把持部間に洗濯物、紙類等を介在させ、この状態でクリップ本体の一端の押圧部を指でヒンジ部方向に押すと押圧部がヒンジ部側に移動する。このとき把持部が閉まっていくとともに、押圧部がクリップ本体とほぼ垂直位置となる位置を通過したとき、押圧部は反転し把持部に力がかかった状態でクリップ本体の形が保持される。したがって、洗濯物、紙類等を少ない力で把持することができる。
【発明の効果】
【００１１】  以上説明したように、この発明によれば、可撓性を有する合成樹脂材料によってクリップを一体に形成したから、大量生産が可能で、製造コストの低減を図ることができる。また、把持部があらかじめ離間しているため、洗濯物、紙類等を少ない力で把持、解除することができ、操作性の向上を図ることができるとともに、把持力を維持することができる。
【発明を実施するための最良の形態】
【００１２】  以下、この考案の一実施例を図面に基いて説明する。
図１および図２は、可撓性を有する合成樹脂材料、例えばポリプロピレン等によって一体に成形されたクリップの全体を示す。１はクリップ本体である。クリップ本体１の内側中央部近傍にはヒンジ部２が一体に設けられ、このヒンジ部２によってクリップ本体１が所定の間隔をおいて開閉自在に連結されており、非使用状態においては、図３（ａ）に示すように略Ｕ状になっている。また、クリップ本体１は押圧部５でいわゆるインテグラルヒンジ状に回動可能に連結されている。【００１３】  クリップ本体１の下端部における内側には把持部３が一体に設けられる。クリップ本体１の上端部付近にはつまみ部４を設ける。クリップ本体１のつまみ部側の端部には押圧部５が一体成型されている。クリップ本体１と押圧部５はインテグラルヒンジで回動可能に連結されている。押圧部５は中央部にインテグラルヒンジを設けクリップ本体１の内外方向に回動可能になっている。上記中央部には連結部２を支点として把持部３を付勢するようにクリップ本体１を支持する支持面５ａを設ける。【００１４】  図３は押圧部の動きを示す拡大図である。押圧部５の端末部は、図３（ａ）に示すように非使用状態でクリップ本体１が略Ｕ状（互いに平行に）なるように外側に屈曲した状態で保持される。図３（ｂ）は押圧部５の中央部分５ａがクリップ本体側（内側）に屈曲し垂直位置となる位置を示しており、この点を通過したとき押圧部は反転する。次に図３（ｃ）に示すように把持部に力が加わった状態でクリップ本体が保持されるように中央部分５ａの面角度が構成される。上記の実施形態では、押圧部５にインテグラルヒンジを用いたがこれに限られるものではなく、屈曲性を有し反転することで付勢と解除ができる素材、構造を含むものである。【００１５】  クリップを使用する場合は、把持部３に洗濯物、紙類等を挟む。このとき、クリップ本体１は左右互いに平行状態にあり把持部３はあらかじめ開状態となっている。次に、押圧部５の中央部を指で押す。すると押圧部５の中央部分は内側に屈曲しクリップ本体とほぼ垂直位置となる位置を通過したとき、押圧部５は反転し把持部に力がかかった状態でクリップ本体１の形状を保持する。すなわち、クリップ本体１がヒンジ部２を中心として回転し、てこの原理で把持部３を押圧する状態で保持される。【００１６】  把持部を開状態にする場合は上記の動作と逆の手順となる。すなわち、押圧部５を指でクリップ本体１の外側に押圧する。すると、ヒンジ部２の可撓性により押圧部５が回動し、押圧部５の中央部分はクリップ１の外側に向かって屈曲し始め、クリップ本体とほぼ垂直位置となる位置を通過したとき、押圧部５は反転し把持部３に力がかからない状態でクリップ本体１が互いに平行になる形で保持される。【００１７】  図４は第２の実施例を示す。押圧部５の中央部分が内側に屈曲し、把持部３に力がかかった状態で押圧部５の先端がヒンジ部２に当接し、ヒンジ部２がストッパとなりクリップ本体１の形状をより確実に保持できる構造としたものである。【００１８】  図５は第３の実施例を示す。ヒンジ部２に直角にクリップの外側に向かって突片を設け押圧部５の中央部分が内側に屈曲し、把持部３に力がかかった状態で押圧部５の先端がストッパ６に当接しクリップ本体１の形状をより確実に保持できる構造としたものである。
【図面の簡単な説明】
【００１９】
【図１】この発明の一実施例に係わるクリップの非使用状態の斜視図である。
【図２】この発明の一実施例に係わるクリップの使用状態の斜視図である。
【図３】この発明の一実施例に係わるクリップの押圧部の動きを示す拡大図である。
【図４】この発明の第２の実施例を示す斜視図である。
【図５】この発明の第３の実施例を示す斜視図である。
【図６】従来の洗濯ばさみを示す斜視図である。
【符号の説明】
【００２０】１    クリップ本体
２    ヒンジ部
３    把持部
４    つまみ部
５    押圧部
５ａ  支持面
６    ストッパ
【図１】
2008100026.tif 000003
【図２】
2008100026.tif 000004
【図３】
2008100026.tif 000005
【図４】
2008100026.tif 000006
【図５】
2008100026.tif 000007
【図６】
2008100026.tif 000008